(57)【要約】【課題】各種の表示や演出を実行可能な演出装置を設ける領域が限られている場合であっても、この演出装置による演出効果を十分に発揮することのできる遊技機を提供する。【解決手段】演出装置２００が非作動状態にあるときには、上端片３２０、下端片３３０、右上片３４０、右中片３５０、右下片３６０、左上片３７０、左中片３８０、左下片３９０からなる８つの片が折り畳まれたような形態にて保持されている。そして、演出装置２００が作動状態になると、上端片３２０、下端片３３０、右上片３４０、右下片３６０、左上片３７０、左下片３９０の６つの片が移動して円形リング状の形態が形成される。【選択図】図１７
2015083070.tif 000002
【特許請求の範囲】
【請求項１】
遊技盤には、各種の演出表示を行う表示装置が設けられ、
この遊技盤に設けられる演出装置を有する遊技機であって、
前記演出装置は、
前記表示装置の前面の一部または全部を覆うように露出した突出位置、または、前記突出位置とは異なる没入位置に移動可能である役物本体と、
この役物本体を、前記突出位置と前記没入位置との間を、前記遊技盤に設けられたレール部においてスライド移動させる移動機構と、
を備え、
前記役物本体は、
複数の片が可動可能に連結され、所定の中空空間を形成することが可能な枠体と、
前記中空空間にて可動可能な可動体と、
前記役物本体が、前記移動機構により前記没入位置にスライド移動させられるときには、前記複数の片を可動させて前記中空空間が縮小された収納形態に前記枠体を変形させる一方、
前記枠体が前記収納形態にある前記役物本体が、前記移動機構により前記突出位置にスライド移動させられるときには、前記複数の片を可動させて前記中空空間が形成された展開形態に前記枠体を変形させる変形機構と、を有してなることを特徴とする遊技機。
【請求項２】
前記レール部は、
前記表示装置の前面を遮らない位置に、平行となるように設けられた一対のレールから構成され、
前記役物本体は、
前記一対のレール上において前記移動機構によりスライド移動させられるとともに、
前記変形機構は、
前記一対のレールに挟まれた領域内において、前記複数の片を可動させて、前記枠体を前記収納形態および前記展開形態を変形させることが可能であることを特徴とする請求項１に記載の遊技機。
【請求項３】
前記可動体は、
平面形状を成す表面および裏面とからなる平面部、および、この両平面部に挟まれた肉厚部が形成された回転体と、
この回転体を、遊技盤面から正面側に向かう方向と垂直な直線を軸として垂直軸回転させる回転体駆動部と、
から構成され、
前記回転体は、
前記枠体が前記収納形態にあるときには、前記平面部が前記遊技盤面に対して平行となる位置にて保持されることを特徴とする請求項１または２に記載の遊技機。
【請求項４】
前記回転体駆動部は、
前記変形機構により前記枠体が前記展開形態に変形され、前記中空空間が形成されたときに、前記回転体を回転させることを特徴とする請求項３に記載の遊技機。
【発明の詳細な説明】
【技術分野】
【０００１】
本発明は、演出装置を備えた遊技機に関する。
【背景技術】
【０００２】
近年、パチンコ機に代表される遊技機では、液晶表示装置（ドット表示装置等も含む、以下同様）において、変動表示させた識別図柄を停止表示させることにより、大当たり抽選の結果を遊技者に視認可能としている。また、液晶表示装置においては、この識別図柄の変動表示に合わせて様々な演出、例えば、キャラクタを登場させたり、物語を展開させたりするなどを行うことにより、単に遊技者が識別図柄の停止表示を待つだけでなく、識別図柄が停止表示するまでに大当たり抽選の結果に期待を持たせるようになっている。
【０００３】
さらに、最近は、液晶表示装置とは別に、遊技者にインパクトを与えるための演出装置（各種表示や演出等を行うことが可能な装置）を設けた遊技機も知られるようになっている。例えば、特許文献１に示す遊技機では、サッケード表示装置の残像効果により文字画像等を表示することが開示されている。また、特許文献２に示す遊技機では、表示ユニットの回転による残像効果により文字や数字等を表示することが開示されている。上記特許文献１および特許文献２に示す遊技機（以下、「従来の遊技機」という）では、サッケード表示装置や表示ユニット等の演出装置による表示が、液晶表示装置で行われている演出に加わることにより、遊技者に見た目上のインパクトを与え、演出効果を高めることができるものとなっている。
【先行技術文献】
【特許文献】
【０００４】
【特許文献１】特開２００４−２８３５０５号公報
【特許文献２】特開平６−３０４３１５号公報
【発明の概要】
【発明が解決しようとする課題】
【０００５】
上記演出装置は、その特性上、何らかの可動(例えば、回転動作等)を伴うため、これらの動作が行えるだけの領域の確保が必要となる。しかしながら、近年の遊技機においては、液晶表示装置における各種演出をより目立たせるために、この液晶表示装置が遊技盤面内に占める割合が増える傾向にある。すなわち、液晶表示装置が巨大化する傾向にあり、上記演出装置を設ける領域が十分に確保できなくなっている。そのため、遊技盤面内において、上記演出装置による演出効果を十分に発揮するために最適な領域を確保することが困難であり、この演出装置による演出効果が十分に発揮できないという問題があった。
【０００６】
本発明は、上記した実状に鑑みてなされたものであり、その目的は、上記演出装置を設ける領域が限られている場合であっても、この演出装置による演出効果を十分に発揮することのできる遊技機を提供することにある。
【課題を解決するための手段】
【０００７】
上記目的を達成するため、本発明は、遊技盤には、各種の演出表示を行う表示装置が設けられ、この遊技盤に設けられる演出装置を有する遊技機であって、前記演出装置は、前記表示装置の前面の一部または全部を覆うように露出した突出位置、または、前記突出位置とは異なる没入位置に移動可能である役物本体と、この役物本体を、前記突出位置と前記没入位置との間を、前記遊技盤に設けられたレール部においてスライド移動させる移動機構と、を備え、前記役物本体は、複数の片が可動可能に連結され、所定の中空空間を形成することが可能な枠体と、前記中空空間にて可動可能な可動体と、前記役物本体が、前記移動機構により前記没入位置にスライド移動させられるときには、前記複数の片を可動させて前記中空空間が縮小された収納形態に前記枠体を変形させる一方、前記枠体が前記収納形態にある前記役物本体が、前記移動機構により前記突出位置にスライド移動させられるときには、前記複数の片を可動させて前記中空空間が形成された展開形態に前記枠体を変形させる変形機構と、を有してなることを特徴としている。
【０００８】
また、上記構成において、前記レール部は、前記表示装置の前面を遮らない位置に、平行となるように設けられた一対のレールから構成され、前記役物本体は、前記一対のレール上において前記移動機構によりスライド移動させられるとともに、前記変形機構は、前記一対のレールに挟まれた領域内において、前記複数の片を可動させて、前記枠体を前記収納形態および前記展開形態を変形させることが可能であることを特徴としている。
【０００９】
また、上記構成において、前記可動体は、平面形状を成す表面および裏面とからなる平面部、および、この両平面部に挟まれた肉厚部が形成された回転体と、この回転体を、遊技盤面から正面側に向かう方向と垂直な直線を軸として垂直軸回転させる回転体駆動部と、から構成され、前記回転体は、前記枠体が前記収納形態にあるときには、前記平面部が前記遊技盤面に対して平行となる位置にて保持されることを特徴としている。
【００１０】
また、上記構成において、前記回転体駆動部は、前記変形機構により前記枠体が前記展開形態に変形され、前記中空空間が形成されたときに、前記回転体を回転させることを特徴としている。
【発明の効果】
【００１１】
本発明によれば、その設置可能な領域が限られている場合であっても、演出装置による演出効果を十分に発揮することができる。
【図面の簡単な説明】
【００１２】
【図１】本発明の実施の形態例に係るパチンコ機の外観斜視図である。
【図２】図１に示すパチンコ機のガラス扉を開けた状態の外観斜視図である。
【図３】図１に示すパチンコ機の遊技盤の正面から見た図である。
【図４】演出装置が作動した様子を示す図である。
【図５】演出装置が非作動状態にあるときの正面図である。
【図６】演出装置が非作動状態にあるときの背面図である。
【図７】演出装置が作動状態にあるときの正面図である。
【図８】演出装置が作動状態にあるときの背面図である。
【図９】演出装置が非作動状態にあるときの役物本体の正面図である。
【図１０】演出装置が非作動状態にあるときの役物本体の上面図である。
【図１１】演出装置が作動状態にあるときの役物本体の正面図である。
【図１２】演出装置が作動状態にあるときの役物本体の上面図である。
【図１３】演出装置が作動状態にあるときの役物本体において、回転体が回転している様子を示す正面図である。
【図１４】演出装置が作動状態にあるときの役物本体において、回転体が回転している様子を示す上面図である。
【図１５】リング可動体を構成する部材等について説明する図である。
【図１６】リング可動体（収納形態）を正面側から見た図である。
【図１７】リング可動体（展開形態）を正面側から見た図である。
【図１８】リング可動体（収納形態）を背面側から見た図である。
【図１９】リング可動体（展開状態）を背面側から見た図である。
【図２０】リング可動体の右側半分の動作について説明する図（リング可動体の背面側から見た図）である。
【図２１】リング可動体の左側半分の動作について説明する図（リング可動体の背面側から見た図）である。
【図２２】演出装置が非作動状態にあるときの遊技盤面の外観を示す図である。
【図２３】演出装置が作動状態にあるときの遊技盤面の外観を示す図である。
【図２４】演出役物装置の作動タイミングを示すタイミングチャートである。
【発明を実施するための形態】
【００１３】
以下、本発明の実施形態では、遊技機の一例であるパチンコ機Ｐについて図面を参照しながら具体的に説明する。
図１および図２に示すように、パチンコ機Ｐは、遊技場の島設備に設置される縦長方形状の機枠１と、機枠１に扉状に開閉自在に取り付けられた本体枠２と、本体枠２の内側に収容される遊技盤３（図３参照）と、本体枠２の前面に扉状に開閉自在に取り付けられ、中央に大きく開口部８が形成されたガラス扉４と、このガラス扉４の開口部８に取り付けられた透明なガラス板１０と、本体枠２の下側に開閉自在に配設され、遊技球を収容する受皿５を有する前面ボード６と、前面ボード６に取り付けられたハンドル７と、本体枠２の下部に設けられた発射装置９と、を具備している。さらに、ガラス扉４の上部には上部スピーカ１１が左右に１個ずつ取り付けられているとともに、ガラス扉４の左下部には下部スピーカ１２が１個取り付けられており、遊技に関する様々な楽曲や効果音を出力することが可能となっている。なお、以下では、上部スピーカ１１および下部スピーカ１２をまとめて、スピーカ１１，１２と呼称する。
【００１４】
前面ボード６には遊技球を収容するとともに、外部に排出可能な受皿５が取り付けられている。この受皿５は、遊技者が投入した遊技球を収容するだけでなく、賞球として払い出された遊技球も収容可能となっている。また、遊技球を遊技領域１５（図３参照）に向けて発射するための発射装置９が本体枠２の下部に取り付けられており、受皿５に収容されている遊技球がこの発射装置９に１個ずつ供給される。
【００１５】
そして、前面ボード６の右下に取り付けられたハンドル７を回動させると、そのときの回動量に応じた強度で発射装置９が遊技球を遊技領域１５へと発射することができるようになっている。
【００１６】
前面ボード６の中央部付近には、遊技者が押下操作および回転操作する演出用タッチボタン６０が設けられている。この演出用タッチボタン６０は、中央部分が押下式スイッチ（押下操作を検出する）、周縁部が回転型セレクタ（回動操作を検出する）で構成され、発展型の演出（例えば、ノーマルリーチからスーパーリーチに発展する内容の演出）において用いられたり、大当たり遊技中における演出や楽曲を選択する際に用いられたりする。また、スピーカ１１，１２の音量調整のためにも用いられる。
【００１７】
図３に示すように、遊技盤３は、その盤面に遊技領域１５を有しており、遊技領域１５は、本体枠２に装着した後、ガラス板１０を介して観察することができる。遊技領域１５は、遊技球を滑走させるガイドレール１６ａと遊技球規制レール１６ｂとによって略円形状となるように区画形成されており、発射装置９によって打ち出された遊技球はこの遊技領域１５内を流下する。また、遊技領域１５内には、演出表示装置４０と、一般入賞口２０と、ゲート２２と、ステージ５０と、第１始動入賞口（始動口）２４および第２始動入賞口（始動口）２６と、大入賞口２８と、アウト口２９等が設けられている。また、遊技領域１５内には、多数の遊技釘１７（図示のように遊技釘１７は遊技盤３上に多数設けられている）と、風車１４も設けられている。また、遊技盤３右下方の位置には、特別図柄表示装置と、普通図柄表示装置と、特別図柄保留表示器と、普通図柄保留表示器とが設けられている（いずれも図示しない）。
【００１８】
ゲート２２は、遊技球が通過可能な構造を成しており、その内部には遊技球が通過したことを検知する磁気センサが内蔵されている。また、このゲート２２を遊技球が通過したことを契機に行われる普通図柄（普図）に係る電子抽選が行われる。また、この抽選の結果は普通図柄表示装置において表示される。
【００１９】
第２始動入賞口２６は、第１始動入賞口２４の右側に離れて設けられているとともに、この第２始動入賞口２６はスライド板２６ｂを有しており、このスライド板２６ｂは、通常では、遊技盤３の前面方向に突出した状態に維持されている。これにより、経路２６Ａを通過した遊技球が第２始動入賞口２６へ入賞することが不可能となっている。この場合、遊技球は経路２６Ｃを通り、遊技領域１５に排出されることとなる。一方で、普通図柄の抽選に当選となると、図示しない始動入賞口開閉ソレノイドに通電がなされて、スライド板２６ｂが遊技盤３の前面から後方にスライドした状態に維持される。これにより、経路２６Ａを通過した遊技球が第２始動入賞口２６へ入賞することが可能となる。この場合、遊技球は経路２６Ｄを通り、第２始動入賞口２６へ入賞することとなる。
【００２０】
アタッカー装置２７は、第１始動入賞口２４に遊技球が入賞することを契機に行われる第１特図に係る電子抽選の結果、大当たり（特図当たり）となって大当たり遊技に移行した場合、および第２始動入賞口２６に遊技球が入賞することを契機に行われる第２特図に係る電子抽選の結果、大当たり（特図当たり）となって大当たり遊技に移行した場合に所定の回数だけ開放される装置である。つまり、アタッカー装置２７は、両始動入賞口２４，２６での抽選結果に応じて作動する。なお、特別図柄の抽選の結果は特別図柄表示装置において表示される。
【００２１】
そして、このアタッカー装置２７は、水平な軸を中心として前後方向に開閉する板状の蓋部材２７ａを備えており、図示しない大入賞口開閉ソレノイドを駆動することにより蓋部材２７ａが水平軸回りに回動する構成となっている。そして、蓋部材２７ａが開いた状態では遊技領域１５の下部に設けられた大入賞口２８が露呈されることとなり、遊技者は、その大入賞口２８に遊技球を入賞させることができる。そして、大入賞口２８に遊技球が入賞すると、所定個数の遊技球が賞球として遊技者に払い出される。即ち、遊技者は、大入賞口２８に遊技球を入賞させることによって出玉を獲得できるのである。なお、大入賞口２８は、横長な長方形の開口であり、アタッカー装置２７の蓋部材２７ａは、この大入賞口２８の形状とほぼ同じ形状を成している。
【００２２】
また、一般入賞口２０に遊技球が入賞すると、所定個数の遊技球が賞球として遊技者に払い出される。そして、一般入賞口２０、第１始動入賞口２４、第２始動入賞口２６および大入賞口２８の何れにも入らなかった遊技球は、アウト口２９から回収される。
【００２３】
演出表示装置４０は、遊技盤３の略中央部に設けられ、第１始動入賞口２４に遊技球が入賞することを契機に行われる第１特図に係る電子抽選の結果、または第２始動入賞口２６に遊技球が入賞することを契機に行われる第２特図に係る電子抽選の結果に基づいて所定の演出態様を表示するものであって、本実施形態では液晶表示装置が用いられている。この演出表示装置４０には、画面全体に背景画像が表示されるほか、所定の演出態様の一部として、特別図柄表示装置に変動表示される特別図柄と同期をとって演出図柄が変動表示されるようになっている。
【００２４】
また、演出表示装置４０は、遊技盤３内に奥行を持って設置されている。すなわち、演出表示装置４０の前面側には、所定の空間（領域）が設けられることとなる。このため、この所定の空間を利用して、後述する演出装置２００等により、各種演出を行うことが可能となる余地を残している。
【００２５】
演出表示装置４０の上方には、パチンコ機Ｐのロゴを模ったロゴパネル１００が設けられている。
【００２６】
また、演出表示装置４０の下方には、ステージ５０が設けられている、このステージ５０は、遊技球が転動しながら一時的に滞在する構造物である。このステージ５０を転動した遊技球は一定の割合で第１始動入賞口２４へと導かれる。
【００２７】
さらに、演出表示装置４０の下方（ステージ側）には、演出装置２００が設けられている。この演出装置２００についての詳細は後述するが、演出表示装置４０の下方から上昇しながら演出表示装置４０の前面を覆い隠すように可動することが可能な可動役物装置である。
【００２８】
次に、演出装置２００の全体的な構成について、図５〜図８を用いて説明する。
【００２９】
図５および図６は、演出装置２００が通常の状態（以下、「非作動状態」という）にあるときの正面図（図５）および背面図（図６）である。
【００３０】
図５に示すように、演出装置２００は、役物本体３００と、左レール部材１１０と、右レール部材１３０と、から構成されている。また、図６は、演出装置２００を背面側から見た図であり、左リール部材１１０のカバー１１２および右リール部材１３０のカバー１３２を取り外した状態を示している。
【００３１】
左レール部材１１０の内部には、モータ１１３と、モータ１１３のシャフトに固定されたモータギア１１４と、モータギア１１４と噛合する従動ギア１１５と、が設けられており、この従動ギア１１５は、ラックギア１１８と噛合している。
【００３２】
ラックギア１１８には、貫通孔（図示せず）が形成されており、この貫通孔には略円形状のレール１１９が挿通されたうえで、左レール部材１１０内部にこのレール１１９が固定されている。また、この貫通孔は、レール１１９が挿通されるのに十分な径を有しているため、ラックギア１１８は、左レール部材１１０内において固定された、このレール１１９上において上下動（摺動）することが可能となっている。
【００３３】
また、ラックギア１１８には、役物本体３００（詳細には、ベース本体３０１）が取り付けられており、モータ１１３の駆動力は、モータギア１１４から従動ギア１１５へと伝達され、従動ギア１１５からラックギア１１８へと伝達される。そして、ラックギア１１８がレール１１９上を上下動する動作に変換されることになる。このとき、ラックギア１１８に固定された役物本体３００も共に上下動する。
【００３４】
同様に、右レール部材１３０の内部には、モータ１３３と、モータ１３３のシャフトに固定されたモータギア１３４と、モータギア１３４と噛合する従動ギア１３５と、が設けられており、この従動ギア１３５は、ラックギア１３８と噛合している。
【００３５】
ラックギア１３８には、貫通孔（図示せず）が形成されており、この貫通孔には略円形状のレール１３９が挿通されたうえで、右レール部材１３０内部にこのレール１３９が固定されている。また、この貫通孔は、レール１３９が挿通されるのに十分な径を有しているため、ラックギア１３８は、右レール部材１３０内において固定された、このレール１３９上において上下動（摺動）することが可能となっている。
【００３６】
また、ラックギア１３８には、役物本体３００（詳細には、ベース本体３０１）が取り付けられており、モータ１３３の駆動力は、モータギア１３４から従動ギア１３５へと伝達され、従動ギア１３５からラックギア１３８へと伝達される。そして、ラックギア１３８がレール１３９上を上下動する動作に変換されることになる。このとき、ラックギア１３８に固定された役物本体３００も共に上下動する。
【００３７】
このように、役物本体３００は、左レール部材１１０および右レール部材１３０により、いわゆる、「両持ち式」に保持され、上下動されるものであって、左レール部材１１０に設けられたモータ１１３と、右レール部材１３０に設けられたモータ１３３との駆動力により作動するものとしている。すなわち、左レール部材１１０のレール１１９と右レール部材のレール１３９とは、少なくとも平行となる位置関係を保って設けられているため、役物本体３００を上下動させることができる。
【００３８】
役物本体３００は、ベース本体３０１と、回転体３０３と、ベース本体３０１の前面側（遊技盤の正面方向に向かう側）に設けられたリング可動体３１０と、から構成されている。なお、役物本体３００を構成するベース本体３０１、回転体３０３、リング可動体３１０についての詳細は後述する。
【００３９】
演出装置２００が非作動状態にあるときには、役物本体３００が、図５および図６においてＡ−Ａ´で示す位置（以下、「初期位置」という）にて停止した状態が維持される。
【００４０】
図７および図８は、演出装置２００が作動状態にあるときの正面図（図７）および背面図（図８）である。なお、図８は、演出装置２００を背面側から見た図であり、左リール部材１１０のカバー１１２および右リール部材１３０のカバー１３２を取り外した状態を示している。
【００４１】
図７および図８に示すように、演出装置２００が作動状態となると、左レール部材１１０のモータ１１３と、右レール部材１３０のモータ１３３とが駆動し、役物本体３００が、レール１１９およびレール１３９上を上方に移動する。このとき、役物本体３００は、図７および図８においてＢ−Ｂ´で示す位置（以下、「最大移動位置」）まで移動した時点で停止した状態となる。そして、役物本体３００は、初期位置から最大移動位置に移動するときに、図７および図８に示すように、円形リング状の形態を形成することが可能となっている。
【００４２】
なお、図２２および図２３には、パチンコ機Ｐの遊技盤面の外観であり、遊技盤３の前面（ガラス扉４）等に一部装飾部材等が施された外観を示している。図２２に示すように、演出装置２００が非作動状態にあるときの遊技盤面の外観では、役物本体３００の一部しか見えない状態となっている。一方、図２３に示すように、演出装置２００が作動状態にあるときには、遊技盤面の外観では、回転体３０３の外形（外郭、輪郭等を含む、以下同様）の成す円形（Ｋ１）と、リング可動体３１０の外形の成す円形（Ｋ２）とが同心円状になるように配置されている。また、上記円形（Ｋ１）および円形（Ｋ２）は、演出表示装置４０やガラス扉４に施された装飾部材等を含めた遊技盤面の外形の成す円形（Ｋ３、Ｋ４、Ｋ５）とも同心円状になるように配置されている。このような配置としたことにより、演出装置２００が作動状態となり、役物本体３００が円形リング状の形態を形成したときには、回転体３０３からリング可動体３１０、遊技盤面全体へと、円形状に演出が広がっていくような印象を与えることができ、遊技盤面全体から一体感のある演出を行うことができる。
【００４３】
次に、役物本体３００について、図９〜図１４を用いて説明する。
【００４４】
図９は、演出装置２００が非作動状態にあるときの役物本体３００の正面図である。また、図１０は、演出装置２００が非作動状態にあるときの役物本体３００の上面図である。
【００４５】
役物本体３００の正面側には、パチンコ機Ｐの名称やモチーフに因んだアイテムやキャラクタ等を模った形状をなしている装飾部材３０５が設けられている。この装飾部材３０５には、図示しないＬＥＤ基板が内蔵されており、演出装置２００の作動状態に合わせて、様々な点灯態様にて発光を行うことが可能となっている。
【００４６】
また、役物本体３００には、回転体３０３が設けられている。この回転体３０３は、ベース本体３０１に設けられた回転体用モータ３０４（図１６等参照）のシャフトに固定されており、この回転体用モータ３０４の駆動により回転するものである。なお、この回転体３０３は、上面側（図１０参照）から見ると視認可能だが、正面側（図９参照）から見ると装飾部材３０５に隠されているため、ほとんど見えない状態になっている。
【００４７】
また、回転体３０３の前面側には、装飾部材３０５が位置しており、回転体３０３と装飾部材３０５との間の距離Ｋ（「Ｒ１−Ｒ３」で示す長さ）が、回転体３０３の回転半径Ｒ（「Ｒ１−Ｒ２」で示す長さ）よりも短くなっている（距離Ｋ＜距離Ｒ）。このため、回転体３０３は、演出装置２００が非作動状態にあるときには、回転半径Ｒ内に位置する装飾部材３０５により回転が妨げられるため、回転が不可能となっている（図１０）。
【００４８】
図１１は、演出装置２００が作動状態にあるときの役物本体３００の正面図である。また、図１２は、演出装置２００が作動状態にあるときの役物本体３００の上面図である。
【００４９】
演出装置２００が作動状態になると、リング可動体３１０が作動し、図１１に示す円形リング状の形態が形成される。このとき、回転体３０３はリング可動体３１０の円形リング状の中空部分Ｔに回転体３０３が露出することとなる。
【００５０】
図１３は、演出装置２００が作動状態にあるときの役物本体３００の正面図であり、回転体３０３が回転しているときの様子を示している。また、図１４は、演出装置２００が作動状態にあるときの役物本体３００の上面図であり、回転体３０３が回転しているときの様子を示している。
【００５１】
図１１および図１２に示したように、リング可動体３１０において展開形態が形成されたことにより、回転体３０３が回転可能な状態となる。詳細には、展開形態が形成されたことにより、回転体３０３の前面にあって、この回転体３０３の回転を妨げていた装飾部材３０５が上方に移動し、この回転体３０３の回転を妨げていた障害物（装飾部材３０５）がなくなる。これにより、回転体３０３の回転半径Ｒ内には、この回転体３０３の回転を妨げるものが存在しなくなるため、回転体３０３は回転が可能となる（図１３および図１４）。
【００５２】
また、回転体３０３は、図１１〜１４に示すように、円板形状を成す表面カバー３０３Ａと裏面カバー３０３Ｂとにより所定の厚さを有して形成される。表面カバー３０３Ａおよび裏面カバー３０３Ｂの内部には複数の発光源（ＬＥＤ）が配されたＬＥＤ基板（図示しない）がそれぞれ設けられており、回転体３０３の表面側および裏面側をそれぞれ発光させることが可能となっている。回転体３０３を発光させる場合とは、例えば、回転体３０３が中空部分Ｔに露出したときや、回転体３０３の回転時などである。
【００５３】
また、表面カバー３０３Ａの内部に設けられたＬＥＤ基板と、裏面カバー３０３Ｂの内部に設けられたＬＥＤ基板とにおいては、それぞれＬＥＤを面対称（鏡映対称）となるように配置させている。これにより、回転体３０３が回転している場合であっても、この回転体３０３における同じ位置で絶えず発光が行われているように見せることができる。また、上述のとおり、ＬＥＤを面対称に配置しているため、双方の個々に対応するＬＥＤにおいて、異なる発光態様となるように制御する（表面と裏面とで発光色を変える、発光パターンを変えるなど）ことにより、回転体３０３が回転しているときの発光態様のバリエーションを豊富なものとすることができる。
【００５４】
次に、役物本体３００を構成するリング可動体３１０について、図１５〜図２１を用いて説明する。
【００５５】
図１５は、リング可動体３１０を構成する部材等について説明する図である。また、図１６および図１７は、リング可動体３１０を正面側から見た図である。図１８および図１９は、リング可動体３１０を背面側から見た図である。また、図２０および図２１は、リング可動体３１０の動作について説明する図（リング可動体３１０を背面側から見た図）である。
【００５６】
演出装置２００が非作動状態にあるときには、図１６に示すように、上端片３２０、下端片３３０、右上片３４０、右中片３５０、右下片３６０、左上片３７０、左中片３８０、左下片３９０からなる８つの片が折り畳まれたような形態（以下、「収納形態」という）にて保持されている。そして、演出装置２００が作動状態になると、図１７に示すように、上端片３２０、下端片３３０、右上片３４０、右下片３６０、左上片３７０、左下片３９０の６つの片が移動して円形リング状の形態（以下、「展開形態」という）が形成される。なお、右中片３５０および左中片３８０は、ベース本体３０１に固定して取り付けられており、それ自体が可動することはないものとなっている。
【００５７】
リング可動体３１０は、円形リング状の形態を形成する８つの片（上端片３２０、下端片３３０、右上片３４０、右中片３５０、右下片３６０、左上片３７０、左中片３８０、
左下片３９０）と、右モータ４００と、右モータ４００のシャフトに固定された右モータギア４０１と、右モータギア４０１と噛合する右従動ギア４０２と、右従動ギア４０２が係合する右下連結部材４１０と、右下連結部材４１０と係合するとともに、右上片３４０と右中片３５０とを連結する右上連結部材４２０と、左モータ４３０と、左モータ４３０のシャフトに固定された左モータギア４３１と、左モータギア４３１と噛合する左従動ギア４３２と、左従動ギア４３２が係合する左下連結部材４４０と、左下連結部材４４０と係合するとともに、左上片３７０と左中片３８０とを連結する左上連結部材４５０と、から構成されている。
【００５８】
まずは、リング可動体３１０の右側半分（上端片３２０、右上片３４０、右中片３５０、右下片３６０、下端片３３０、右モータ４００、右モータギア４０１、右従動ギア４０２、右下連結部材４１０、右上連結部材４２０）を構成する各部材の構造および動作について、図１５〜図１９および図２０を参照しつつ説明する。
【００５９】
右従動ギア４０２には、略半円周上に右モータギア４０１と噛合する右ギア部４０３が設けられているとともに、残りの半円周上に右下連結部材４１０に設けられた第１長穴４１１と係合する右下突起部４０４が設けられている。この右下突起部４０４は、第１長穴４１１に摺動可能な状態で係合される。
【００６０】
右下連結部材４１０は、回転軸穴４１２を通して留め具４１３により右下片３６０の固定軸穴３６１には固定して取り付けられるとともに、右中片３５０の回転軸穴３５２には回動可能に取り付けられる。この回転軸穴４１２および回転軸穴３５２に留め具４１３を通して回動可能にされた部分を右下回動部４１４という。また、右下連結部材４１０には、上述した第１長穴４１１の他に第２長穴４１５が設けられている。
【００６１】
また、第１長穴４１１において、回転軸穴４１２に最も近い端側を中央端４１１Ａ、回転軸穴４１２から最も遠い位置にある端側を最遠端４１１Ｂといい、第２長穴４１５において、回転軸穴４１２に最も近い端側を中央端４１５Ａ、回転軸穴４１２から最も遠い位置にある端側を最遠端４１５Ｂという。
【００６２】
右下片３６０には、下端片３３０の右方に設けられた右下長穴３３１と係合する突起部３６２が設けられている。この突起部３６２は、右下長穴３３１に摺動可能な状態で係合される。また、右下長穴３３１において、下端片３３０の中心に最も近い端側を中央端３３１Ａ、中心から最も遠い位置にある端側を最遠端３３１Ｂという。
【００６３】
右上連結部材４２０は、回転軸穴４２１を通して留め具４２２により右上片３４０の固定軸穴３４２には固定して取り付けられるとともに、右中片３５０の回転軸穴３５１には回動可能に取り付けられる。この回転軸穴４２１および回転軸穴３５１に留め具４２２を通して回動可能にされた部分を右上回動部４２４という。
【００６４】
また、右上連結部材４２０には、右下連結部材４１０の第２長穴４１５に係合する右上突起部４２５が設けられている。この右上突起部４２５は、第２長穴４１５に摺動可能な状態で係合される。
【００６５】
右中片３５０は、上述した通り、ベース本体３０１に固定して取り付けられており、それ自体が可動することはないものとなっている。また、右上片３４０および右下片３６０は、ベース本体３０１には固定されていないため、上述したように、右下回動部４１４および右上回動部４２４を中心として回動することが可能となっている。そして、リング可動体３１０が収納状態から展開状態になるにあたり、右上片３４０および右下片３６０が可動する領域は、リング可動体３１０を正面視したときに、少なくとも右中片３５０よりも左側方向（円形リング形状の内側）に限定されている。
【００６６】
右上片３４０には、上端片３２０の右上長穴３２１と係合する突起部３４１が設けられている。この突起部３４１は、右上長穴３２１に摺動可能な状態で係合される。また、右上長穴３２１において、上端片３２０の中心に最も近い端側を中央端３２１Ａ、中心から最も遠い位置にある端側を最遠端３２１Ｂという。
【００６７】
このように構成したことにより、図２０（ａ）に示すように、右モータ４００が駆動すると、右モータギア４０１の回転が右従動ギア４０２に伝達され、この右従動ギア４０２が矢印Ａで示す方向（反時計回り方向）に回転することにより、右従動ギア４０２に設けられた右下突起部４０４も矢印Ａで示す方向に回転する。この右下突起部４０４は、演出装置２００の非作動状態では、第１長穴４１１の中央端４１１Ａ側に位置している（図１８参照）。そのため、右下突起部４０４が矢印Ａで示す方向に回転することにより、この右下突起部４０４は、第１長穴４１１内において、中央端４１１Ａから最遠端４１１Ｂ方向に摺動することになる。これにより、右下連結部材４１０が、右下回動部４１４を中心として、矢印Ｂで示す方向（時計回り方向）に回動する。
【００６８】
また、右下連結部材４１０の回動に伴い、回動部４１４に固定されている右下片３６０および突起部３６２も矢印Ｂで示す方向（時計回り方向）に回動する。この突起部３６２は、演出装置２００の非作動状態では、右下長穴３３１の中央端３３１Ａ側に位置している（図１８参照）。そのため、右下片３６０が矢印Ｂで示す方向に回動することにより、この突起部３６２は、右下長穴３３１内において、中央端３３１Ａ側から最遠端３３１Ｂ側に摺動する。これにより、下端片３３０の右側部分（下端片３３０の中心から右下長穴３３１側の部分）が下方に押し下げられることとなる。
【００６９】
また、右下連結部材４１０の回動に伴い、第２長穴４１５に係合する右上突起部４２５には、矢印Ｃで示す方向へ回動させる力が働くこととなり、右上連結部材４２０が矢印Ｃで示す方向に回動することとなる。なお、右上突起部４２５は、演出装置２００の非作動状態では、第２長穴４１５のやや最遠端側４１５Ｂ側に位置している（図１８参照）。そのため、右下連結部材４１０の回動により、この右上突起部４２５は、第２長穴４１５内において、最遠端側４１５Ｂ側から中央端４１５Ａ側に一旦摺動し、中央端４１５Ａに到達すると、今度は最遠端４１５Ｂ側に摺動する。
【００７０】
そして、右上連結部材４２０の回動に伴い、回動部４２４に固定されている右上片３４０および突起部３４１も矢印Ｃで示す方向（反時計回り方向）に回動する。この突起部３４１は、演出装置２００の非作動状態では、右上長穴３２１の中央端３２１Ａ側に位置している（図１８参照）。そのため、右上片３４０が矢印Ｃで示す方向に回動することにより、この突起部３４１は、右上長穴３２１内において、中央端３２１Ａ側から最遠端３２１Ｂ側に摺動する。これにより、上端片３２０の右側部分（上端片３２０の中心から右上長穴３２１側の部分）が上方に押し上げられることとなる。
【００７１】
以上のように、右モータ４００の駆動により、右下連結部材４１０、右下片３６０、下端片３３０、右上連結部材４２０、右上片３４０、上端片３２０が可動して、リング可動体３１０の右側半分において、図２０（ｂ）に示す円形リング状の形態の右側半分が形成される。
【００７２】
次に、リング可動体３１０の左側半分（上端片３２０、左上片３７０、左中片３８０、左下片３９０、下端片３３０、左モータ４３０、左モータギア４３１、左従動ギア４３２、左下連結部材４４０、左上連結部材４５０）を構成する各部材の構造および動作について、図１５〜図１９および図２１を参照しつつ説明する。なお、リング可動体３１０の左側半分の構造および動作については、上述した、リング可動体３１０の右側半分の構造および動作がほぼ左右反対となるだけである。
【００７３】
左従動ギア４３２には、略半円周上に左モータギア４３１と噛合する左ギア部４３３が設けられているとともに、残りの半円周上に左下連結部材４４０に設けられた第１長穴４４１と係合する左下突起部４３４が設けられている。この左下突起部４３４は、第１長穴４４１に摺動可能な状態で係合される。
【００７４】
左下連結部材４４０は、回転軸穴４４２を通して留め具４４３により左下片３９０の固定軸穴３９１には固定して取り付けられるとともに、左中片３８０の回転軸穴３８２には回動可能に取り付けられる。この回転軸穴４４２および回転軸穴３８２に留め具４４３を通して回動可能にされた部分を左下回動部４４４という。また、左下連結部材４４０には、上述した第１長穴４４１の他に第２長穴４４５が設けられている。
【００７５】
また、第１長穴４４１において、回転軸穴４４２に最も近い端側を中央端４４１Ａ、回転軸穴４４２から最も遠い位置にある端側を最遠端４４１Ｂといい、第２長穴４４５において、回転軸穴４４２に最も近い端側を中央端４４５Ａ、回転軸穴４４２から最も遠い位置にある端側を最遠端４４５Ｂという。
【００７６】
左下片３９０には、下端片３３０の左方に設けられた左下長穴３３２と係合する突起部３９２が設けられている。この突起部３９２は、左下長穴３３２に摺動可能な状態で係合される。
【００７７】
左上連結部材４５０は、回転軸穴４５１を通して留め具４５２により左上片３７０の固定軸穴３７２には固定して取り付けられるとともに、左中片３８０の回転軸穴３８１には回動可能に取り付けられる。この回転軸穴４５１および回転軸穴３８１に留め具４５２を通して回動可能にされた部分を左上回動部４５４という。
【００７８】
また、左上連結部材４５０には、左下連結部材４４０の第２長穴４４５に係合する左上突起部４５５が設けられている。この左上突起部４５５は、第２長穴４４５に摺動可能な状態で係合される。
【００７９】
左中片３８０は、上述した通り、ベース本体３０１に固定して取り付けられており、それ自体が可動することはないものとなっている。また、左上片３７０および左下片３９０は、ベース本体３０１には固定されていないため、上述したように、左下回動部４４４および左上回動部４５４を中心として回動することが可能となっている。そして、リング可動体３１０が収納状態から展開状態になるにあたり、左上片３７０および左下片３９０が可動する領域は、リング可動体３１０を正面視したときに、少なくとも左中片３８０よりも右側方向（円形リング形状の内側）に限定されている。
【００８０】
左上片３７０には、上端片３２０の左上長穴３２２と係合する突起部３７１が設けられている。この突起部３７１は、左上長穴３２２に摺動可能な状態で係合される。
【００８１】
このように構成したことにより、図２１（ａ）に示すように、左モータ４３０が駆動すると、左モータギア４３１の回転が左従動ギア４３２に伝達され、この左従動ギア４３２が矢印Ｄで示す方向（時計回り方向）に回転することにより、左従動ギア４３２に設けられた左下突起部４３４も矢印Ｄで示す方向に回転する。この左下突起部４３４は、演出装置２００の非作動状態では、第１長穴４４１の中央端４４１Ａ側に位置している（図１８参照）。そのため、左下突起部４３４が矢印Ｄで示す方向に回転することにより、この左下突起部４３４は、第１長穴４４１内において、中央端４４１Ａから最遠端４４１Ｂ方向に摺動することになる。これにより、左下連結部材４４０が、左下回動部４４４を中心として、矢印Ｅで示す方向（反時計回り方向）に回動する。
【００８２】
また、左下連結部材４４０の回動に伴い、回動部４４４に固定されている左下片３９０および突起部３９２も矢印Ｅで示す方向（反時計回り方向）に回動する。この突起部３９２は、演出装置２００の非作動状態では、左下長穴３３２の中央端３３２Ａ側に位置している（図１８参照）。そのため、左下片３９０が矢印Ｅで示す方向に回動することにより、この突起部３９２は、左下長穴３３２内において、中央端３３２Ａ側から最遠端３３２Ｂ側に摺動する。これにより、下端片３３０の左側部分（下端片３３０の中心から左下長穴３３２側の部分）が下方に押し下げられることとなる。
【００８３】
また、左下連結部材４４０の回動に伴い、第２長穴４４５に係合する左上突起部４５５には、矢印Ｆで示す方向へ回動させる力が働くこととなり、左上連結部材４５０が矢印Ｆで示す方向に回動することとなる。なお、左上突起部４５５は、演出装置２００の非作動状態では、第２長穴４４５のやや最遠端側４４５Ｂに位置している（図１８参照）。そのため、左下連結部材４４０の回動により、この左上突起部４５５は、第２長穴４４５内において、最遠端側４４５Ｂ側から中央端４４５Ａ側に一旦摺動し、中央端４４５Ａに到達すると、今度は最遠端４４５Ｂ側に摺動する。
【００８４】
そして、左上連結部材４５０の回動に伴い、回動部４５４に固定されている左上片３７０および突起部３７１も矢印Ｆで示す方向（時計回り方向）に回動する。この突起部３７１は、演出装置２００の非作動状態では、左上長穴３２２の中央端３２２Ａ側に位置している（図１８参照）。そのため、左上片３７０が矢印Ｆで示す方向に回動することにより、この突起部３７１は、右側長穴３２２内において、中央端３２２Ａ側から最遠端３２２Ｂ側に摺動する。これにより、上端片３２０の左側部分（上端片３２０の中心から左上長穴３２２側の部分）が上方に押し上げられることとなる。
【００８５】
以上のように、左モータ４３０の駆動により、左下連結部材４４０、左下片３９０、下端片３３０、左上連結部材４５０、左上片３７０、上端片３２０が可動して、リング可動体３１０の左側半分において、図２１（ｂ）に示す円形リング状の形態の左側半分が形成される。
【００８６】
このように、リング可動体３１０は、それぞれ、右モータ４００、左モータ４３０を有しているため、この両モータ４００，４３０を駆動させることにより、円形リング状の形態を形成できることはもちろん、右モータ４００のみを駆動させて、右側半分の片、部材（右上片３４０、右下片３６０）を可動させた形態を形成したり、左モータ４３０のみを駆動させて、左側半分の片（左上片３７０、左下片３９０）を可動させた形態を形成したりすることも可能である。
【００８７】
また、演出装置２００が初期位置にあるときに、右モータ４００や左モータ４３０を少しだけ駆動させて、リング可動体３１０の上端片３２０、右上片３４０および左上片３７０が「カタカタ」と動くような作動を行わせることも可能である。
【００８８】
このように、本実施形態によれば、上記８つの片や連結部材等を、このリング可動体３１０の展開形態である円形リング形状の直径幅内に収納することが可能な構成とした。これにより、演出装置２００が非作動状態にあるときに、リング可動体３１０を収納するスペースを極力小さくすることができる。したがって、演出装置２００を設ける領域が限られているような場合であっても、演出装置２００（リング可動体３１０）による演出効果を十分に発揮することができる。
【００８９】
また、本実施形態によれば、回転体３０３を円板状として、この円板面（表面）が遊技盤正面方向となるように収納するものとしたことにより、収納時における奥行方向のスペースをほとんど必要としない。これにより、円板面を大きくする（回転半径Ｒを大きくする）ことができ、回転体３０３が回転したときに遊技者に与えるインパクトを増大させることができる。
【００９０】
また、本実施形態によれば、役物本体３００（リング可動体３１０、回転体３０３）が収納された場所から、演出表示装置４０の前面に移動させて、この役物本体３００を作動させることとしたため、演出表示装置４０の前面における空間を有効に活用することができる。
【００９１】
また、本実施形態によれば、左レール部材１１０および右レール部材１３０に挟まれた領域内において、役物本体３００を移動させるものとしている。そして、リング可動体３１０については、右中片３５０および左中片３８０を固定し、リング可動体３１０の左右方向の可動範囲が、この右中片３５０と左中片３８０に挟まれた領域内に収まるようにしている。すなわち、左レール部材１１０および右レール部材１３０に挟まれた領域内において、リング可動体３１０が収納形態および展開形態を形成することができるものとしている。したがって、演出装置２００を設ける領域が限られている場合であっても、演出装置２００による演出効果を十分に発揮することができる。
【００９２】
また、本実施形態によれば、演出装置２００の非作動状態においては、リング可動体３１０の一部分しか視認することができないが、この時点では、リング可動体３１０が円形リング状に変形する可動体であることを遊技者に想像させることも不可能な形態にて収納されるようにしている。このため、リング可動体３１０が展開形態となったときに、決して丸くない物体から丸い物体が出来上がった、といった強烈なインパクトを遊技者に与えることができる。
【００９３】
また、本実施形態によれば、リング可動体３１０を構成する各部材（片、連結部材等）はすべて連結された１つの可動体（可動役物）となっており、この１つの可動体が「収納形態」と「展開形態」という、少なくとも２つの形態に変形することが可能である。このため、従来の遊技機等にみられる、複数の可動体や役物を設けて、これらを合体させて複合的な動作をする可動体を完成させるといったことが必要なくなり、部品点数の削減や収納スペースのコンパクト化を図ることができる。また、複数の可動体を合体させる際に生じる不具合等についても考慮する必要がなくなる。
【００９４】
なお、演出装置２００を作動させるタイミングとしては、例えば、演出表示装置４０において演出図柄が変動表示されているときから停止表示するまでの任意のタイミングで作動させることや大当たり遊技において作動させることが考えられる。すなわち、大当たりの抽選結果として大当たりとなる可能性が高い場合に行われる演出図柄等による演出（リーチ演出）が実行されるときに演出装置２００を作動させるものとする。図２４は、リーチ演出において演出装置２００が作動するタイミングの一例を示したタイミングチャートである。
【００９５】
例えば、図２４（ａ）に示すパターン１のように、リーチ演出が開始されてから、このリーチ演出において発展的な演出（いわゆる、スーパーリーチ演出（ＳＰリーチ演出））が実行されるときに、演出装置２００を作動させて、「リング可動体３１０を展開形態にする→回転体３０３を回転させる」という動作を連続的に行わせるものとしてもよい。このように、リーチ演出において演出装置２００を作動させることにより、リーチ演出における演出装置２００の作動による演出効果を高めることができる。
【００９６】
また、図２４（ｂ）に示すパターン２のように、リーチ演出の開始時には、リング可動体３１０を展開形態にするのみで一旦は演出装置２００を非作動状態にして、ＳＰリーチに発展するときに、再びリング可動体３１０を展開形態として、さらに回転体３０３を回転させるものとしてもよい。このようにすると、リング可動体３１０と回転体３０３との組み合わせにより、演出の期待度（大当たりとなる可能性の高低）に幅を持たせることができ、演出装置２００の作動による演出効果を高めることができる。
【００９７】
また、当該リーチ演出が大当たりとなるものである場合には上記した通り、回転体３０３の回転を行うが、当該リーチ演出が大当たりとならないものである場合には、回転体３０３の回転を行わないようにしてもよい。このようにすると、リーチ演出においてリング可動体３１０が展開形態となり、さらに回転体３０３が回転した場合には、大当たりが確定するプレミアム的な演出となり、演出装置２００の作動による演出効果を高めることができる。
【００９８】
また、図２４（ｃ）に示すパターン３のように、いわゆる疑似連演出（ここでは、疑似連１回目〜４回目まで行われる場合を例にとって説明する）が実行されるときに、疑似連演出の１回目から４回目までは最大移動位置まで役物本体３００を移動させずに、初期位置から最大移動位置までの間において役物本体３００を上下動させたり、初期位置にてリング可動体３１０の上端片３２０や右上片３４０および左上片３７０を作動させて「カタカタ」動作させたりすることのみを行い、疑似連演出４回目の終了後からリーチ演出に発展するときに、役物本体３００を最大移動位置に移動させて、リング可動体３１０を展開形態とするものとしてもよい。なお、当該疑似連演出が大当たりとなる場合には上記した通り、回転体３０３もさらに回転させるが、当該疑似連演出が大当たりとならない場合には、回転体３０３の回転は行わないようにしてもよい。このように、疑似連演出において演出装置２００を作動させることにより、いわゆる、疑似連煽りとしての演出効果を高めることができる。
【００９９】
また、図２４（ｄ）に示すパターン４のように、大当たり遊技が開始されてから、所定のラウンド遊技（この場合は、８Ｒ（ラウンド）目のラウンド遊技）が実行されるときに演出装置２００を作動させて、例えば、当該大当たりの種類が、いわゆる確変大当たりの場合には、「リング可動体３１０を展開形態にする→回転体３０３を回転させる」という動作を続けて行うものとしてもよい。また、当該大当たりが、いわゆる通常大当たりの場合には、「リング可動体３１０を展開形態にする」動作のみ行うものとしてもよいし、「リング可動体３１０を展開形態にする」動作も行われないものとしてもよい。このように、大当たり遊技において演出装置２００を作動させることにより、大当たり遊技中の演出における演出効果を高めることができる。
【０１００】
演出装置２００を作動させる条件や、タイミングは、上記したものに限られることはなく、種々の条件やタイミングを設定することにより、演出装置２００の作動による演出のバリエーションを豊富にすることが可能である。
【０１０１】
（その他の実施形態についての言及）
上記実施形態は、本発明のパチンコ機Ｐの一形態であり、本発明は、説明された実施形態に限定されるものではなく、特許請求の範囲に示される技術的思想の範囲を逸脱しない限り様々な形態に変更することができる。
【０１０２】
なお、本実施形態における演出表示装置４０は、本発明の表示装置の一例に該当する。
なお、本実施形態における最大移動位置は、本発明の突出位置の一例に該当し、初期位置は、本発明の没入位置の一例に該当する。
なお、本実施形態における左レール部材１１０（レール１１９）および右レール部材１３０（レール１３９）は、本発明のレール部を構成する。
なお、上記実施形態における左レール部材１１０に設けられた、モータ１１３、モータギア１１４と、従動ギア１１５、ラックギア１１８、および、右レール部材１３０に設けられた、モータ１３３、モータギア１３４、従動ギア１３５、ラックギア１３８は、本発明の移動機構を構成する。
なお、上記実施形態におけるリング可動体３１０は、本発明の枠体、変形機構を構成する。
なお、上記実施形態における回転体３０３は、本発明の可動体の一例に該当し、回転体用モータ３０４は、本発明の回転体駆動部の一例に該当する。
【符号の説明】
【０１０３】
Ｐ  パチンコ機
Ｒ  リンク機構
３  遊技盤
７  ハンドル
２０  一般入賞口
２２  ゲート
２４  第１始動入賞口
２６  第２始動入賞口
２７  アタッカー装置
２８  大入賞口
２９  アウト口
４０  演出表示装置
５０  ステージ
６０  演出用タッチボタン
１００  ロゴパネル
１１０  左レール部材
１１２  カバー
１１３  モータ
１１４  モータギア
１１５  従動ギア
１１８  ラックギア
１１９  レール
１３０  右レール部材
１３２  カバー
１３３  モータ
１３４  モータギア
１３５  従動ギア
１３８  ラックギア
１３９  レール
２００  演出装置
３００  役物本体
３０１  ベース本体
３０３  回転体
３０４  回転体用モータ
３０５  装飾部材
３１０  リング可動体
３２０  上端片
３２１  右上長穴
３２２  左上長穴
３３０  下端片
３３１  右下長穴
３３２  左下長穴
３４０  右上片
３４１  突起部
３４２  固定軸穴
３５０  右中片
３５１  回転軸穴
３５２  回転軸穴
３６０  右下片
３６１  固定軸穴
３６２  突起部
３７０  左上片
３７１  突起部
３７２  回転軸穴
３８０  左中片
３８１  回転軸穴
３８２  回転軸穴
３９０  左下片
３９１  固定軸穴
３９２  突起部
４００  右モータ
４０１  右モータギア
４０２  右従動ギア
４０３  右ギア部
４０４  右下突起部
４１０  右下連結部材
４１１  第１長穴
４１２  回転軸穴
４１３  留め具
４１４  右下回動部  
４１５  第２長穴
４２０  右上連結部材
４２１  回転軸穴
４２２  留め具
４２４  右上回動部
４２５  右上突起部
４３０  左モータ
４３１  左モータギア
４３２  左従動ギア
４３３  左ギア部
４３４  左下突起部
４４０  左下連結部材
４４１  第１長穴
４４２  回転軸穴
４４３  留め具
４４４  左下回動部
４４５  第２長穴
４５０  左上連結部材
４５１  回転軸穴
４５２  留め具
４５４  左上回動部
４５５  左上突起部
【図１】
2015083070.tif 000003
【図２】
2015083070.tif 000004
【図３】
2015083070.tif 000005
【図４】
2015083070.tif 000006
【図５】
2015083070.tif 000007
【図６】
2015083070.tif 000008
【図７】
2015083070.tif 000009
【図８】
2015083070.tif 000010
【図９】
2015083070.tif 000011
【図１０】
2015083070.tif 000012
【図１１】
2015083070.tif 000013
【図１２】
2015083070.tif 000014
【図１３】
2015083070.tif 000015
【図１４】
2015083070.tif 000016
【図１５】
2015083070.tif 000017
【図１６】
2015083070.tif 000018
【図１７】
2015083070.tif 000019
【図１８】
2015083070.tif 000020
【図１９】
2015083070.tif 000021
【図２０】
2015083070.tif 000022
【図２１】
2015083070.tif 000023
【図２２】
2015083070.tif 000024
【図２３】
2015083070.tif 000025
【図２４】
2015083070.tif 000026